(57)【要約】【課題】モータの発熱を抑制しつつ切断対象物の切断を進める。【解決手段】取得した切断データに従って切断対象物から模様を切断する切断装置は、切断対象物を切断するカッタと、切断対象物を第１方向に沿って搬送する第１モータ、カッタを第２方向に沿って移動させる第２モータ、カッタが切断対象物に接近又は離間する方向である第３方向に沿ってカッタを移動させる第３モータ、のうち少なくとも何れか１つのモータにより構成されている切断動作用モータと、切断動作用モータの温度を検知する温度検知部と、切断動作用モータの駆動を制御する制御部と、を備え、制御部は、温度検知部が検知する検知温度が第１温度まで上昇すると、切断動作用モータの駆動を停止し、切断動作用モータの駆動停止後、温度検知部が検知する検知温度が第２温度まで低下すると、切断動作用モータの駆動を再開する。【選択図】図４
2020015131.tif 000002
【特許請求の範囲】
【請求項１】
切断データを取得し、取得した切断データに従って切断対象物から模様を切断する切断装置であって、
前記切断対象物を切断するカッタと、
前記切断対象物を第１方向に沿って搬送する第１モータ、前記カッタを前記第１方向に直交する第２方向に沿って移動させる第２モータ、前記第１方向及び前記第２方向に直交する方向であって、前記カッタが前記切断対象物に接近又は離間する方向である第３方向に沿って前記カッタを移動させる第３モータ、のうち少なくとも何れか１つのモータにより構成されている切断動作用モータと、
前記切断動作用モータの温度を検知する温度検知部と、
前記切断動作用モータの駆動を制御する制御部と、
を備え、
前記制御部は、
前記温度検知部が検知する検知温度が所定の第１温度まで上昇すると、前記切断動作用モータの駆動を停止し、
前記切断動作用モータの駆動停止後、前記温度検知部が検知する検知温度が前記第１温度よりも低い第２温度まで低下すると、前記切断動作用モータの駆動を再開することを特徴とする切断装置。
【請求項２】
前記切断データは、前記模様を構成する複数の線分を切断するための複数の線分データを含み、
前記制御部は、一の前記線分データに基づく線分の切断中に、前記温度検知部が検知する検知温度が前記第１温度まで上昇した場合には、その線分の切断終了後であって、且つ、他の前記線分データに基づく線分の切断を開始する前に、前記切断動作用モータの駆動を停止することを特徴とする請求項１に記載の切断装置。
【請求項３】
前記切断データは、前記模様を構成する複数の線分を切断するための複数の線分データを含み、
前記制御部は、一の前記線分データに基づく線分の切断終了後であって、且つ、他の前記線分データに基づく線分の切断を開始する前に、前記他の前記線分データに基づく線分の切断中に前記温度検知部が検知する検知温度が前記第１温度まで上昇するか否かを予測し、前記第１温度まで上昇すると予測される場合には、前記他の前記線分データに基づく線分の切断を開始せずに前記切断動作用モータの駆動を停止することを特徴とする請求項１又は２に記載の切断装置。
【請求項４】
前記制御部は、前記温度検知部が検知する検知温度が前記第２温度よりも低い第３温度まで上昇すると、前記切断動作用モータの駆動速度を低下させることを特徴とする請求項１から３の何れか１項に記載の切断装置。
【請求項５】
前記制御部は、前記温度検知部が検知する検知温度が前記第３温度まで上昇すると、前記カッタが前記切断対象物に切断を施していない非切断時における前記切断動作用モータの駆動速度を低下させることを特徴とする請求項４に記載の切断装置。
【請求項６】
前記制御部は、前記第３モータによる前記カッタの前記第３方向への移動時における前記切断動作用モータの駆動速度を低下させることを特徴とする請求項４又は５に記載の切断装置。
【請求項７】
前記制御部は、前記カッタの刃先の向きが変化する変化時における前記切断動作用モータの駆動速度を低下させることを特徴とする請求項４から６の何れか１項に記載の切断装置。
【請求項８】
前記制御部は、前記温度検知部が検知する検知温度が前記第２温度よりも低い第３温度まで上昇すると、前記第３モータの駆動速度を低下させることを特徴とする請求項１から７の何れか１項に記載の切断装置。
【請求項９】
前記制御部は、前記第３モータの駆動により前記カッタが前記切断対象物に接触する接触位置に位置している状態において前記温度検知部が検知する検知温度が前記第１温度まで上昇した場合には、前記カッタを前記接触位置に維持したまま前記第３モータの駆動を停止することを特徴とする請求項１から８の何れか１項に記載の切断装置。
【請求項１０】
前記制御部は、前記温度検知部が検知する検知温度が前記第１温度まで上昇した場合には、前記第３モータの駆動により、前記カッタを、前記カッタが前記切断対象物から離間する離間位置に移動させることを特徴とする請求項１から８の何れか１項に記載の切断装置。
【請求項１１】
前記制御部は、前記第３モータの駆動により前記カッタが前記切断対象物から離間する離間位置に移動すると、前記切断データに基づき、次に前記カッタを前記カッタが切断対象物に接触する接触位置に移動させてから前記離間位置に移動させるまでに前記温度検知部が検知する検知温度が前記第１温度まで上昇するか否かを予測し、前記第１温度まで上昇すると予測される場合には、前記切断データに基づく切断を開始せずに待機することを特徴とする請求項１から１０の何れか１項に記載の切断装置。
【発明の詳細な説明】
【技術分野】
【０００１】
本開示は、切断データを取得し、取得した切断データに従って切断対象物を切断する切断装置に関する。
【背景技術】
【０００２】
例えば切断対象物に切断加工を行う切断装置は、切断対象物を搬送するためのモータ、切断対象物に切断を施すカッタを移動させるためのモータを備えている（例えば、特許文献１参照）。
【先行技術文献】
【特許文献】
【０００３】
【特許文献１】特開２０１４−２１３４３６号公報
【発明の概要】
【発明が解決しようとする課題】
【０００４】
従来の切断装置は、モータに供給する電流を制御することにより、切断対象物の搬送速度やカッタの移動速度を調整している。そのため、モータに供給される電流が過大になる場合には、当該モータが発熱してしまうという課題がある。
【０００５】
本開示は上記事情に鑑みてなされたものであり、その目的は、モータの発熱を抑制しつつ切断対象物の切断を進めることができる切断装置を提供することである。
【課題を解決するための手段】
【０００６】
本開示に係る切断装置は、切断データを取得し、取得した切断データに従って切断対象物から模様を切断する切断装置であって、前記切断対象物を切断するカッタと、前記切断対象物を第１方向に沿って搬送する第１モータ、前記カッタを前記第１方向に直交する第２方向に沿って移動させる第２モータ、前記第１方向及び前記第２方向に直交する方向であって、前記カッタが前記切断対象物に接近又は離間する方向である第３方向に沿って前記カッタを移動させる第３モータ、のうち少なくとも何れか１つのモータにより構成されている切断動作用モータと、前記切断動作用モータの温度を検知する温度検知部と、前記切断動作用モータの駆動を制御する制御部と、を備え、前記制御部は、前記温度検知部が検知する検知温度が所定の第１温度まで上昇すると、前記切断動作用モータの駆動を停止し、前記切断動作用モータの駆動停止後、前記温度検知部が検知する検知温度が前記第１温度よりも低い第２温度まで低下すると、前記切断動作用モータの駆動を再開することを特徴とする。
【０００７】
本開示に係る切断装置によれば、切断動作用モータの温度が第１温度まで上昇すると、切断動作用モータの駆動が停止され、その後、切断動作用モータの温度が第２温度まで低下すると、切断動作用モータの駆動が再開される。これにより、モータの発熱を抑制しつつ切断対象物の切断を進めることができる。
【図面の簡単な説明】
【０００８】
【図１】第１実施形態に係る切断装置の構成例を概略的に示す外観斜視図
【図２】第１実施形態に係る切断装置の制御系の構成例を概略的に示すブロック
【図３】第１実施形態に係る切断データの構成例を概略的に示す図
【図４】第１実施形態に係る切断装置の制御例を概略的に示すものであって、実測温度に基づく制御フローの一例を示すフローチャート
【図５】第１実施形態に係る切断装置の制御例を概略的に示すものであって、予測温度に基づく制御フローの一例を示すフローチャート
【図６】第１実施形態に係る予測温度に基づく制御フローによる切断動作を視覚的に説明するための図
【図７】第２実施形態に係る切断装置の制御例を概略的に示すものであって、予測温度に基づく制御フローの一例を示すフローチャート
【図８】第２実施形態に係る予測温度に基づく制御フローによる切断動作を視覚的に説明するための図
【図９】変形実施形態に係る切断装置の制御例を概略的に示すものであって、実測温度に基づく制御フローの一例を示すフローチャート
【発明を実施するための形態】
【０００９】
以下、本開示の切断装置に係る複数の実施形態について図面を参照しながら説明する。なお、複数の実施形態において実質的に同一の要素には同一の符号を付し、その説明を省略する。また、複数の実施形態において、図中に例示するＹ方向を、第１方向の一例である前後方向、Ｘ方向を第２方向の一例である左右方向、Ｚ方向を第３方向の一例である上下方向と定義する。Ｙ方向は、切断対象物Ｗが搬送される搬送方向に対応する。Ｘ方向は、後述するカッタを備える切断ヘッド１５が移動する移動方向に対応する。Ｚ方向は、後述するカッタを備えるカッタカートリッジ１４が移動する移動方向に対応する。Ｙ方向は、Ｘ方向に直交し、Ｚ方向は、Ｘ方向及びＹ方向の双方に直交する。
【００１０】
（第１実施形態）
図１に例示する切断装置１１は、切断データを取得し、その取得した切断データに従って切断対象物Ｗから所定形状の模様を自動的に切断する装置である。切断装置１１は、本体カバー１２と、本体カバー１２内に配設されたプラテン１３と、カッタカートリッジ１４を有する切断ヘッド１５とを備えている。切断装置１１は、切断対象物Ｗを保持するための保持部材１６を備える。保持部材１６は、全体として矩形薄板状をなすベース部と、ベース部の上面に設けられた粘着層とを備えている。粘着層は、切断対象物Ｗを剥離可能に保持する。切断対象物Ｗは、例えば紙などのシート状の対象物である。
【００１１】
本体カバー１２は、前面がやや斜めに下降傾斜した横長な矩形箱状をなしている。本体カバー１２の前面部には、横長に開口する前面開口部１２ａが形成されている。また、本体カバー１２の前面の下辺部には、前面開口部１２ａを開閉するための前カバー１７が上下方向に回動可能に設けられている。保持部材１６は、前カバー１７が開放された状態で、切断装置１１の内部に前方から挿入され、プラテン１３の上面にセットされる。プラテン１３の上面は水平面をなしている。切断対象物Ｗを保持する保持部材１６は、後述する搬送機構によって、プラテン１３上を前後方向に沿って搬送される。
【００１２】
本体カバー１２の上面の右側部位には、操作パネル１８が設けられている。操作パネル１８は、液晶ディスプレイ（ＬＣＤ）１９と、ユーザが各種の指示や選択又は入力の操作などを行うための各種操作スイッチ２０とが設けられている。なお、各種操作スイッチ２０には、ＬＣＤ１９の表面に設けられるタッチパネルも含まれる。
【００１３】
本体カバー１２の内部には、保持部材１６をプラテン１３の上面で前後方向に搬送する搬送機構が設けられている。また、本体カバー１２の内部には、切断ヘッド１５を、左右方向に移動させるカッタ移動機構が設けられている。
【００１４】
次に、搬送機構について説明する。本体カバー１２の内部には、それぞれ左右方向に延びるピンチローラ２１及び駆動ローラ２２が上下に並んで設けられている。保持部材１６は、その左右の縁部が、それぞれピンチローラ２１と駆動ローラ２２との間において挟持され、駆動ローラ２２が駆動されることに伴い前後方向に搬送される。詳しく図示はしないが、本体カバー１２内の右側部には、図２に例示するＹ軸モータ２３、及び、Ｙ軸モータ２３の回転を駆動ローラ２２に伝達する図示しないギヤ機構が設けられている。このように構成される搬送機構は、Ｙ軸モータ２３により駆動ローラ２２を回転させることにより、保持部材１６を前後方向に搬送する。Ｙ軸モータ２３は、ＤＣモータである。Ｙ軸モータ２３は、第２モータの一例である。
【００１５】
次に、カッタ移動機構を説明する。本体カバー１２の内部には、ピンチローラ２１の後部上方に位置して、左右方向に延びるガイドレール２４が設けられている。切断ヘッド１５は、ガイドレール２４に、左右方向ヘの移動が可能に支持されている。詳しく図示はしないが、本体カバー１２内の左側部には、図２に例示するＸ軸モータ２５、及び、Ｘ軸モータ２５により回転される図示しない駆動プーリが設けられている。
【００１６】
一方、本体カバー１２内の右側部には、図示しない従動プーリが設けられている。駆動プーリと従動プーリとの間には、図示しない無端状のタイミングベルトが左右方向に延びて水平に掛け渡されている。切断ヘッド１５は、タイミングベルトの途中部に連結されている。このように構成されるカッタ移動機構は、Ｘ軸モータ２５の回転により、タイミングベルトを介して切断ヘッド１５を左右方向に移動させる。Ｘ軸モータ２５は、ＤＣモータである。Ｘ軸モータ２５は、第１モータの一例である。
【００１７】
切断ヘッド１５は、カートリッジホルダ２６と、カートリッジホルダ２６を上下方向に駆動させる上下駆動機構を備えている。カートリッジホルダ２６は、カッタカートリッジ１４を着脱可能に保持する。図示はしないが、カッタカートリッジ１４は、円筒状のケースの上下に延びる中心軸に沿ってカッタを備えている。カッタの下端には、刃部が形成されている。カッタカートリッジ１４は、ケースの下端部から刃部が僅かに突出する位置にてカッタを保持する。また、カッタカートリッジ１４は、ケースの下端部において、カッタを周方向に回動自在に保持している。そのため、切断対象物Ｗにカッタの刃先が接触した状態で切断ヘッド１５が折り返されるようにして移動されると、その切断ヘッド１５の移動に伴ってカッタが回動し、その刃先の向きが変更されるようになっている。
【００１８】
上下駆動機構は、図２に例示するＺ軸モータ２７などを備えている。Ｚ軸モータ２７は、ＤＣモータである。上下駆動機構は、Ｚ軸モータ２７を駆動することにより、カッタカートリッジ１４を、カッタが切断対象物Ｗに接近又は離間する方向である上下方向に沿って移動させる。上下駆動機構がカッタカートリッジ１４を下降位置に移動させた状態では、カッタの刃部が切断対象物Ｗに接触して当該切断対象物Ｗの切断が行われる。下降位置は、カッタが切断対象物Ｗに接触する接触位置の一例である。一方、上下駆動機構がカッタカートリッジ１４を上昇位置に移動させた状態では、カッタの刃部が切断対象物Ｗから離間して当該切断対象物Ｗの切断が行われない。上昇位置は、カッタが切断対象物Ｗから所定距離だけ離間する離間位置の一例である。
【００１９】
そして、切断装置１１は、取得した切断データに基づいて切断対象物Ｗに切断加工を施す際には、Ｙ軸モータ２３、Ｘ軸モータ２５、Ｚ軸モータ２７の駆動をそれぞれ制御する。切断装置１１は、これらＹ軸モータ２３、Ｘ軸モータ２５、Ｚ軸モータ２７により、切断対象物Ｗに切断加工を施すための切断動作用モータ４０を構成している。
【００２０】
切断装置１１が備える切断機構は、以上のように構成されており、切断装置１１は、切断データに基づく切断動作時においては、上下駆動機構により、カッタの刃部が、保持部材１６に保持されている切断対象物Ｗを厚み方向に貫通する状態にする。その状態で、切断装置１１は、搬送機構により、保持部材１６に保持された切断対象物Ｗを前後方向に移動させる。また、切断装置１１は、カッタ移動機構により、カッタを含む切断ヘッド１５を左右方向に移動させる。これにより、切断装置１１は、切断対象物Ｗに対しカッタを切断データに従って移動させて、切断対象物Ｗから所定の模様を切断する切断動作を実行する。なお、図１に例示するように、切断装置１１は、例えば保持部材１６の粘着部の左側後方の角部を原点ＯとしたＸ−Ｙ座標系を設定しており、このＸ−Ｙ座標系に切断データが規定する切断位置を適合させながら切断動作を制御するようになっている。
【００２１】
次に、切断装置１１の制御系の構成例について説明する。図２に例示するように、切断装置１１は、制御部の一例である制御装置２９を備えている。制御装置２９は、マイクロコンピュータを主体として構成されており、制御プログラムに従って切断装置１１の動作全般を制御する。制御装置２９には、ＬＣＤ１９、各種操作スイッチ２０が接続されている。また、制御装置２９には、ＲＯＭ３０、ＲＡＭ３１、ＥＥＰＰＯＭ３２が接続されている。また、制御装置２９には、それぞれＸ軸モータ２５、Ｙ軸モータ２３、Ｚ軸モータ２７を駆動するための駆動回路３３，３４，３５が接続されている。また、制御装置２９には、例えばＵＳＢメモリなどで構成される外部メモリ３６が接続可能である。
【００２２】
ＲＯＭ３０には、切断動作を制御するための切断制御プログラム、ＬＣＤ１９の表示を制御するための表示制御プログラム、後述の各制御フローを実行するプログラムなどの各種制御プログラムが記憶されている。ＲＡＭ３１には、各種処理に必要なデータやプログラムが一時的に記憶される。ＥＥＰＲＯＭ３２或いは外部メモリ３６には、切断対象物Ｗから所定形状の模様を切断するために作成された各種の切断データが保存されている。
【００２３】
切断データは、切断対象物Ｗを切断するための切断位置を示すデータであり、切断位置をＸ−Ｙ座標系で示す座標データの集合から構成される。制御装置２９は、例えばＥＥＰＲＯＭ３２或いは外部メモリ３６から切断データを取得すると、切断制御プログラムを実行する。そして、制御装置２９は、取得した切断データに従って、駆動回路３３，３４，３５を介してＸ軸モータ２５、Ｙ軸モータ２３、Ｚ軸モータ２７の駆動をそれぞれ制御し、これにより、保持部材１６に保持されている切断対象物Ｗに対する切断動作を自動的に実行する。なお、切断データの供給源は、ＥＥＰＲＯＭ３２や外部メモリ３６に限られるものではなく、例えばネットワーク経由で取得する場合、切断データを生成する切断データ生成装置から取得する場合など、種々の供給源が考えられる。
【００２４】
また、制御装置２９には、温度検知部４１が接続されている。温度検知部４１は、切断動作用モータ４０の温度を検知するための構成要素であり、この場合、Ｘ軸モータ２５の温度を検知するＸ軸モータ温度検知部４１ａ、Ｙ軸モータ２３の温度を検知するＹ軸モータ温度検知部４１ｂ、Ｚ軸モータ２７の温度を検知するＺ軸モータ温度検知部４１ｃにより構成されている。これら温度検知部４１ａ，４１ｂ，４１ｃは、何れも、例えばサーミスタ或いは周知の温度センサにより構成されている。
【００２５】
切断装置１１は、切断動作用モータ４０を構成するＹ軸モータ２３、Ｘ軸モータ２５、Ｚ軸モータ２７の温度を監視しながら切断動作を実行することにより、Ｙ軸モータ２３、Ｘ軸モータ２５、Ｚ軸モータ２７の発熱を抑制しつつ切断対象物Ｗの切断を進めるように構成されている。次に、このように切断動作用モータ４０の発熱を抑制しつつ切断動作を実行する場合の制御例について説明する。なお、切断装置１１は、切断動作用モータ４０の温度が後述の速度調整温度Ｔ３よりも低い場合、切断動作用モータ４０の駆動速度を第１速度Ｖ１とし、切断動作用モータ４０の温度が速度調整温度Ｔ３以上であって後述の停止温度Ｔ１よりも低い場合、所定の条件下において切断動作用モータ４０の駆動速度を第２速度Ｖ２とする。第１速度Ｖ１は第２速度Ｖ２よりも速い。また、第１速度Ｖ１及び第２速度Ｖ２各々に対応付けてＹ軸モータ２３、Ｘ軸モータ２５、Ｚ軸モータ２７各々の駆動速度を規定する駆動速度データが予めＥＥＰＲＯＭ３２等に格納されている。
【００２６】
第１速度Ｖ１に対応するＹ軸モータ２３の駆動速度は、第２速度Ｖ２に対応するＹ軸モータ２３の駆動速度よりも速い。同様に、第１速度Ｖ１に対応するＸ軸モータ２５の駆動速度は、第２速度Ｖ２に対応するＸ軸モータ２５の駆動速度よりも速い。同様に、第１速度Ｖ１に対応するＺ軸モータ２７の駆動速度は、第２速度Ｖ２に対応するＺ軸モータ２７の駆動速度よりも速い。本開示では、上記所定の条件として、後述の模様を形成する線分を切断していない期間、カッタの刃先の向きを変える動作を実行している期間、及び、Ｙ軸モータ２３、Ｘ軸モータ２５、Ｚ軸モータ２７の何れかが駆動している期間を規定している。ちなみに、Ｙ軸モータ２３、Ｘ軸モータ２５、Ｚ軸モータ２７各々は、加速、定速、減速を繰り返すが、本開示における各モータの駆動速度は、定速時における速度を示すものとする。
【００２７】
切断装置１１は、制御装置２９により、次に例示する２つの制御フローを並列的に実行するように構成されている。また、ここでは、図３に例示する形状の模様を切断対象物Ｗから複数切断する場合の制御例について説明する。この場合、切断データＣＤは、多角形状の模様を切断するためのものであり、多角形状を構成する複数の線分Ｌ１〜Ｌ６を切断するための複数の線分データにより構成されている。また、それぞれの線分データは、切断位置を規定する複数の座標データの集合により構成されている。つまり、線分データは、少なくとも、線分の切断を開始する始点及びその線分の切断を終了する終点の座標を示す座標データを有する。なお、一の線分の終点の座標と、当該一の線分の次に切断される他の線分の始点の座標とが異なる場合には、制御装置２９は、当該一の線分の切断後、駆動回路３５を介してＺ軸モータ２７を駆動させ、カッタカートリッジ１４を離間位置に上昇させた後、駆動回路３３，３４を介してＸ軸モータ２５及びＹ軸モータ２３を駆動させ、カッタを当該他の線分の始点に移動させる。
【００２８】
（実測温度に基づく制御フロー）
この制御フローは、温度検知部４１により検知される切断動作用モータ４０の実際の温度に基づいて切断動作を制御するフローである。この制御フローに基づく処理は、切断動作が開始されることにより開始される。図４に例示するように、制御装置２９は、取得した切断データに基づく切断動作を、切断動作用モータ４０の駆動速度を第１速度Ｖ１として開始すると、温度検知部４１により検知される切断動作用モータ４０の温度が所定の速度調整温度Ｔ３まで上昇したか否かを監視する（Ａ１）。速度調整温度Ｔ３は、第３温度の一例である。速度調整温度Ｔ３は、適宜変更して設定することができ、この場合、例えば６０℃が設定されている。また、制御装置２９は、この場合、Ｘ軸モータ２５の検知温度、Ｙ軸モータ２３の検知温度、Ｚ軸モータ２７の検知温度の少なくとも何れか１つが速度調整温度Ｔ３まで上昇した場合に、切断動作用モータ４０の温度が速度調整温度Ｔ３まで上昇したと判断するように設定されている。
【００２９】
なお、制御装置２９は、例えば、Ｘ軸モータ２５の検知温度、Ｙ軸モータ２３の検知温度、Ｚ軸モータ２７の検知温度の平均値が速度調整温度Ｔ３まで上昇した場合、Ｘ軸モータ２５の検知温度、Ｙ軸モータ２３の検知温度、Ｚ軸モータ２７の検知温度のうち予め定めた特定の検知温度が速度調整温度Ｔ３まで上昇した場合などに、切断動作用モータ４０の温度が速度調整温度Ｔ３まで上昇したと判断するように設定してもよい。
【００３０】
制御装置２９は、切断動作用モータ４０の温度が速度調整温度Ｔ３まで上昇していない場合には（Ａ１：ＮＯ）、そのまま、切断データに基づく切断動作を継続する。つまり、Ｘ軸モータ２５，Ｙ軸モータ２３，Ｚ軸モータ２７各々は第１速度Ｖ１で規定される駆動速度で駆動する。制御装置２９は、切断動作用モータ４０の温度が速度調整温度Ｔ３まで上昇した場合には（Ａ１：ＹＥＳ）、温度検知部４１により検知される切断動作用モータ４０の温度が所定の停止温度Ｔ１まで上昇したか否かを監視する（Ａ２）。停止温度Ｔ１は、第１温度の一例である。停止温度Ｔ１は、少なくとも速度調整温度Ｔ３よりも高い温度範囲において適宜変更して設定することができ、この場合、例えば８０℃が設定されている。また、制御装置２９は、この場合、Ｘ軸モータ２５の検知温度、Ｙ軸モータ２３の検知温度、Ｚ軸モータ２７の検知温度の少なくとも何れか１つが停止温度Ｔ１まで上昇した場合に、切断動作用モータ４０の温度が停止温度Ｔ１まで上昇したと判断するように設定されている。
【００３１】
なお、制御装置２９は、例えば、Ｘ軸モータ２５の検知温度、Ｙ軸モータ２３の検知温度、Ｚ軸モータ２７の検知温度の平均値が停止温度Ｔ１まで上昇した場合、Ｘ軸モータ２５の検知温度、Ｙ軸モータ２３の検知温度、Ｚ軸モータ２７の検知温度のうち予め定めた特定の検知温度が停止温度Ｔ１まで上昇した場合などに、切断動作用モータ４０の温度が停止温度Ｔ１まで上昇したと判断するように設定してもよい。
【００３２】
制御装置２９は、切断動作用モータ４０の温度が所定の停止温度Ｔ１まで上昇している場合には（Ａ２：ＹＥＳ）、切断動作用モータ４０の温度が停止温度Ｔ１まで上昇した時点における切断動作が、切断データを構成する複数の線分データのうち何れか１つの線分データに基づく切断動作であるか否か、つまり、模様を構成する複数の線分のうち何れか１つの線分を切断中であるか否かを確認する（Ａ３）。
【００３３】
制御装置２９は、模様を構成する何れか１つの線分を切断中である場合には（Ａ３：ＹＥＳ）、そのまま、その線分の切断動作を継続する。そして、制御装置２９は、その線分の切断を終了すると（Ａ３：ＮＯ）、カッタが下降位置に移動されているか否かを確認する（Ａ４）。そして、制御装置２９は、カッタが下降位置に移動されている場合には（Ａ４：ＹＥＳ）、そのままカッタを下降位置に維持、または、カッタを上昇位置に移動させて（Ａ５）、ステップＡ６に移行する。また、制御装置２９は、カッタが下降位置に移動されていない場合には（Ａ４：ＮＯ）、そのままステップＡ６に移行する。
【００３４】
なお、ステップＡ５において、カッタを下降位置に維持するか、または、カッタを上昇位置に移動させるかは、予め何れかに設定しておくことが可能である。この場合、カッタを下降位置に維持するか、または、カッタを上昇位置に移動させるかの設定は、例えば、ユーザが操作スイッチ２０の操作を介して決定するようにしてもよいし、切断装置１１の製造時、販売時等において予めデフォルトで設定するようにしてもよい。また、制御装置２９は、切断動作用モータ４０の駆動を停止した位置が次に切断する予定の他の線分の切断の始点である場合、ステップＡ５においてカッタを下降位置に維持するように設定してもよい。また、制御装置２９は、切断動作用モータ４０の駆動を停止した位置が次に切断する予定の他の線分の切断の始点と異なる場合、ステップＡ５においてカッタを上昇位置に移動させるように設定してもよい。
【００３５】
制御装置２９は、ステップＡ６に移行すると、切断動作用モータ４０の駆動を停止する（Ａ６）。即ち、制御装置２９は、切断データを構成する複数の線分データのうち一の線分データに基づく線分の切断中に、温度検知部４１が検知する切断動作用モータ４０の検知温度が停止温度Ｔ１まで上昇した場合には（Ａ２：ＹＥＳ）、その線分の切断終了後であって（Ａ３：ＮＯ）、且つ、切断データを構成する他の線分データに基づく線分の切断を開始する前に、切断動作用モータ４０の駆動を停止するように構成されている（Ａ６）。
【００３６】
また、制御装置２９は、カッタが下降位置つまり切断対象物Ｗに接触する接触位置に位置している状態において（Ａ４：ＹＥＳ）、温度検知部４１が検知する切断動作用モータ４０の検知温度が停止温度Ｔ１まで上昇している場合には（Ａ２：ＹＥＳ）、カッタを下降位置に維持したまま切断動作用モータ４０の駆動を停止することも可能であるし、カッタを上昇位置に移動させてから切断動作用モータ４０の駆動を停止することも可能である（Ａ５，Ａ６）。
【００３７】
そして、制御装置２９は、切断動作用モータ４０の駆動を停止すると、温度検知部４１により検知される切断動作用モータ４０の温度が所定の再開温度Ｔ２まで低下したか否かを確認する（Ａ７）。再開温度Ｔ２は、第２温度の一例である。再開温度Ｔ２は、少なくとも、速度調整温度Ｔ３よりも高い温度範囲であって、且つ、停止温度Ｔ１よりも低い温度範囲において適宜変更して設定することができ、この場合、例えば７０℃が設定されている。また、制御装置２９は、この場合、Ｘ軸モータ２５の検知温度、Ｙ軸モータ２３の検知温度、Ｚ軸モータ２７の検知温度の全ての温度が再開温度Ｔ２まで低下した場合に、切断動作用モータ４０の温度が再開温度Ｔ２まで低下したと判断するように設定されている。
【００３８】
なお、制御装置２９は、例えば、Ｘ軸モータ２５の検知温度、Ｙ軸モータ２３の検知温度、Ｚ軸モータ２７の検知温度の平均値が再開温度Ｔ２まで低下した場合、Ｘ軸モータ２５の検知温度、Ｙ軸モータ２３の検知温度、Ｚ軸モータ２７の検知温度のうち予め定めた特定の検知温度が再開温度Ｔ２まで低下した場合などに、切断動作用モータ４０の温度が再開温度Ｔ２まで低下したと判断するように設定してもよい。
【００３９】
制御装置２９は、切断動作用モータ４０の温度が再開温度Ｔ２まで低下していない場合には（Ａ７：ＮＯ）、そのまま、切断動作用モータ４０の駆動を停止した状態を維持する。つまり、制御装置２９は、切断動作を再開することなく待機する。そして、制御装置２９は、切断動作用モータ４０の温度が再開温度Ｔ２まで低下すると（Ａ７：ＹＥＳ）、切断動作用モータ４０の駆動を再開する（Ａ８）。
【００４０】
また、制御装置２９は、ステップＡ２において、切断動作用モータ４０の温度が所定の停止温度Ｔ１まで上昇していない場合には（Ａ２：ＮＯ）、カッタが上昇位置に移動されているか否か（Ａ９）、カッタの刃先の向きが変化する変化時であるか否か（Ａ１０）、Ｚ軸モータ２７によるカッタの上下方向への移動時であるか否か（Ａ１１）、を確認する。
【００４１】
そして、制御装置２９は、カッタが上昇位置に移動されている場合、つまり、カッタが切断対象物Ｗに対し切断を施していない非切断時である場合には（Ａ９：ＹＥＳ）、その非切断時における切断動作用モータ４０の駆動速度を第２速度Ｖ２に低下させる（Ａ１２）。非切断時とは、例えば互いに離間した複数の模様を切断する際に、一の模様の切断が終了した後、他の模様の切断開始位置までカッタを移動させている期間である。このとき、制御装置２９は、特にＸ軸モータ２５及びＹ軸モータ２３の駆動速度を第２速度Ｖ２に対応する駆動速度に低下させるように構成されている。これにより、カッタが上昇位置に移動した切断対象物Ｗの非切断時における切断ヘッド１５の移動速度及び切断対象物Ｗの搬送速度が低下するようになる。これにより、カッタが上昇位置に移動した状態で切断対象物Ｗに対し切断ヘッド１５が相対的にＸ方向及びＹ方向に移動する移動期間を長く確保することができ、この期間内に、切断動作用モータ４０の温度を低下させることができる。なお、このとき、制御装置２９は、Ｚ軸モータ２７の駆動速度も第２速度Ｖ２に対応する駆動速度に低下させるように構成してもよい。また、Ｘ軸モータ２５及びＹ軸モータ２３の何れか一方のみの駆動速度を低下させるように構成してもよい。
【００４２】
また、制御装置２９は、カッタの刃先の向きが変化する変化時である場合には（Ａ１０：ＹＥＳ）、その変化時における切断動作用モータ４０の駆動速度を第２速度Ｖ２に低下させる（Ａ１２）。変化時とは、例えば切断対象となる模様が鋭角部分を有する場合、その鋭角部分において、下降位置に位置するカッタの刃先の位置を変えることなく、Ｘ軸モータ２５及びＹ軸モータ２３を駆動することにより刃先の向きを変える動作を行っている期間である。また、切断ヘッド１５が上下方向を回転軸としてカッタを回転させるモータを有している場合には、変化時とは、そのモータによりカッタを回転させている期間であってもよい。
【００４３】
ステップＡ１２において、制御装置２９は、特にＸ軸モータ２５及びＹ軸モータ２３の駆動速度を第２速度Ｖ２に対応する駆動速度に低下させるように構成されている。これにより、切断ヘッド１５をＸ方向に移動させ、切断対象物ＷをＹ方向に移動させてカッタの刃先の向きを変化させる期間を長く確保することができ、この期間内に、切断動作用モータ４０の温度を低下させることができる。なお、このとき、制御装置２９は、Ｚ軸モータ２７の駆動速度も低下させるように構成してもよい。また、Ｘ軸モータ２５及びＹ軸モータ２３の何れか一方のみの駆動速度を低下させるように構成してもよい。
【００４４】
また、制御装置２９は、Ｚ軸モータ２７によるカッタの上下方向への移動時である場合には（Ａ１１：ＹＥＳ）、その移動時における切断動作用モータ４０の駆動速度を低下させる（Ａ１２）。このとき、制御装置２９は、特にＺ軸モータ２７の駆動速度を第２速度Ｖ２に対応する駆動速度に低下させるように構成されている。これにより、カッタを上下方向に移動させる移動期間を長く確保することができ、この期間内に、切断動作用モータ４０の温度を低下させることができる。なお、このとき、制御装置２９は、Ｙ軸モータ２３、Ｘ軸モータ２５の駆動速度も低下させるように構成してもよい。
【００４５】
また、制御装置２９は、カッタが上昇位置に移動されていない場合（Ａ９：ＮＯ）、カッタの刃先の向きの変化時ではない場合（Ａ１０：ＮＯ）、カッタの上下方向への移動時ではない場合（Ａ１１：ＮＯ）、すなわち、模様を構成する線分の切断中は、切断動作用モータ４０の駆動速度を第２速度Ｖ２に低下させず、第１速度Ｖ１を維持する。また、制御装置２９は、切断動作用モータ４０の駆動速度を第２速度Ｖ２に低下させた後において、模様を構成する線分の切断動作に復帰する場合には、切断動作用モータ４０の駆動速度を第２速度Ｖ２から第１速度Ｖ１に戻す。
【００４６】
以上のように、制御装置２９は、切断動作用モータ４０の温度が速度調整温度Ｔ３まで上昇した場合であって（Ａ１：ＹＥＳ）、且つ、切断動作用モータ４０の温度が停止温度Ｔ１まで上昇していない場合には（Ａ２：ＮＯ）、切断対象物Ｗの非切断時、カッタの刃先の向きの変化時、カッタの上下方向への移動時における切断動作用モータ４０の駆動速度を低下させるように構成されている。一方、各線分の切断中における切断動作用モータ４０の駆動速度は低下させないよう構成されている。
【００４７】
制御装置２９は、以上に説明した実測温度に基づく制御フローを繰り返し実行することにより、複数の線分データにより構成されている切断データに基づき切断対象物Ｗから模様を切断する。なお、実測温度に基づく制御フローにおいて、切断動作用モータ４０の温度が速度調整温度Ｔ３まで上昇しなかった場合（Ａ１：ＮＯ）、または、速度調整温度Ｔ３まで上昇したとしても停止温度Ｔ１まで上昇しなかった場合（Ａ２：ＮＯ）、制御装置２９は、取得した切断データに基づく切断動作が全て終了すると、つまり、取得した切断データが特定する全ての線分の切断を終了すると、この実測温度に基づく制御フローを終了するように構成されている。
【００４８】
（予測温度に基づく制御フロー）
この制御フローは、予測される切断動作用モータ４０の温度に基づいて切断動作を制御するフローである。この制御フローは、切断動作が開始されることにより開始され、前述した実測温度に基づく制御フローと並列して実行される。図５に例示するように、制御装置２９は、切断データを構成する複数の線分データのうち一の線分データに基づく線分の切断動作を終了すると（Ｂ１）、切断データを構成する複数の線分データのうち他の線分データ、この場合、切断動作を終了した線分データの次に切断動作に供される線分データを取得する（Ｂ２）。そして、制御装置２９は、取得した線分データに基づいて線分を切断した場合において、その切断動作中に温度検知部４１が検知する検知温度、つまり、切断動作用モータ４０の温度を予測する（Ｂ３）。
【００４９】
このとき、制御装置２９は、例えば、切断動作が終了した線分データに基づく線分の切断中における切断動作用モータ４０の温度上昇量と、切断動作が終了した線分データに基づき形成される線分の長さと、に基づいて、線分の単位長さに対する切断動作用モータ４０の温度上昇量を算出する。そして、制御装置２９は、算出した線分の単位長さに対する切断動作用モータ４０の温度上昇量に、取得した線分データに基づき形成される線分の長さを掛け合わせ、これにより、取得した線分データに基づく線分の切断中における切断動作用モータ４０の温度上昇量を算出する。そして、制御装置２９は、算出した切断動作用モータ４０の温度上昇量を、その時点における切断動作用モータ４０の検知温度に加算し、その加算後の温度を、取得した線分データに基づく線分の切断中に検知されることが予測される切断動作用モータ４０の検知温度として特定する。
【００５０】
制御装置２９は、取得した線分データに基づく線分の切断中における切断動作用モータ４０の検知温度を予測すると、その予測温度が停止温度Ｔ１よりも高い温度であるか否かを判定する（Ｂ４）。制御装置２９は、切断動作用モータ４０の予測温度が停止温度Ｔ１よりも高い場合には（Ｂ４：ＹＥＳ）、取得した線分データに基づく線分の切断動作を開始することなく、切断動作用モータ４０の駆動を停止して（Ｂ５）、ステップＢ３に移行する。ステップＢ３〜Ｂ５が繰り返し実行される間に、切断動作用モータ４０の温度は徐々に低下していく。そして、制御装置２９は、切断動作用モータ４０の予測温度が停止温度Ｔ１よりも高くない場合には（Ｂ４：ＮＯ）、取得した線分データに基づく線分の切断動作を開始する（Ｂ６）。制御装置２９は、この予測温度に基づく制御フローを繰り返し実行することにより、複数の線分データにより構成されている切断データに基づき切断対象物Ｗから模様を切断する。
【００５１】
次に、この予測温度に基づく制御フローによる切断動作を視覚的に説明する。即ち、図６に例示するように、切断データＣＤは、複数の線分データＬ１〜Ｌ６により構成されている。そして、制御装置２９は、複数の線分データＬ１〜Ｌ６のうちの一の線分データ、例えば線分データＬ１に基づく線分の切断動作を終了すると、次の線分データＬ２に基づく線分の切断動作を開始する前に、カッタをポイントＰ１つまり線分データＬ１に基づく切断動作の終了位置に維持した状態で、線分データＬ２に基づく線分の切断中における切断動作用モータ４０の検知温度を予測する。そして、制御装置２９は、切断動作用モータ４０の予測温度が停止温度Ｔ１よりも高い場合には、切断動作用モータ４０の駆動を停止するとともに、カッタをポイントＰ１に位置させた状態で待機する。そして、制御装置２９は、切断動作用モータ４０の予測温度が停止温度Ｔ１よりも高くない場合には、線分データＬ２に基づく線分の切断動作を開始する。
【００５２】
以上に説明した切断装置１１によれば、切断動作用モータ４０の温度が停止温度Ｔ１まで上昇すると、切断動作用モータ４０の駆動が停止され、その後、切断動作用モータ４０の温度が再開温度Ｔ２まで低下すると、切断動作用モータ４０の駆動が再開される。このように切断動作用モータ４０の温度を監視しながら切断動作を制御することにより、切断動作用モータ４０の発熱を抑制しつつ切断対象物Ｗの切断を進めることができる。
【００５３】
また、仮に線分の切断途中で切断動作用モータ４０の駆動を停止、つまり、切断対象物Ｗに対する切断を停止したとすると、例えば切断の再開時、特に、その初動時においてはカッタが切断対象物Ｗに与える負荷が大きくなる傾向があることから、線分の途中にがたつきなどが生じやすく、１つの線分の全体を均一な状態で切断することが困難となる。
【００５４】
切断装置１１によれば、切断データを構成する複数の線分データのうち一の線分データに基づく線分の切断中に切断動作用モータ４０の温度が停止温度Ｔ１まで上昇した場合には、その線分の切断が終了までは、切断動作用モータ４０の駆動が継続される。そのため、切断中である１つの線分の全体を、がたつきなどを生じさせることなく均一な状態で切断することができる。
【００５５】
また、切断装置１１によれば、これから実行する線分の切断動作の開始前において、当該線分の切断中に切断動作用モータ４０の温度が停止温度Ｔ１まで上昇する可能性が高い場合には、切断動作用モータ４０の駆動を停止するとともに、その線分の切断の開始を遅らせるように構成した。これにより、次の線分の切断動作を開始する前に切断動作用モータ４０を十分に冷ますことができ、従って、切断動作用モータ４０の発熱を一層抑制しつつ切断対象物Ｗの切断を進めることができる。
【００５６】
また、切断装置１１によれば、切断動作用モータ４０の温度が速度調整温度Ｔ３まで上昇した場合には、切断動作用モータ４０の駆動速度を低下させる。これにより、切断動作用モータ４０に供給される電流が低下するので、切断動作用モータ４０の発熱を抑制しつつ切断対象物Ｗの切断を進めることができる。また、この場合、速度調整温度Ｔ３は、停止温度Ｔ１よりも低い温度範囲において設定されているので、切断動作用モータ４０の駆動停止に至る前の段階で、切断動作用モータ４０の駆動速度を低下させることで当該切断動作用モータ４０の冷却を図ることができる。よって、切断動作用モータ４０の駆動を停止させる回数を抑制することができ、切断対象物Ｗの切断を円滑に進めることができる。
【００５７】
また、仮にカッタが切断対象物Ｗを切断している切断時において切断動作用モータ４０の駆動速度を低下させたとすると、その時点において切断対象物Ｗの切断面にがたつきなどが生じ、均一な状態で切断対象物Ｗを切断することが困難となる。
【００５８】
切断装置１１によれば、切断対象物Ｗに切断を施していない非切断時において、切断動作用モータ４０の駆動速度を低下させるように構成した。そのため、切断動作用モータ４０の駆動速度の変化が切断対象物Ｗの切断状態に影響することを抑制することができ、均一な状態で切断対象物Ｗを切断することができる。
【００５９】
また、切断装置１１によれば、Ｚ軸モータ２７によるカッタの上下方向への移動時、つまり、カッタが切断対象物Ｗに対し接近又は離間する間であって切断対象物Ｗが切断されない非切断時において、切断動作用モータ４０の駆動速度を低下させるように構成した。そのため、切断動作用モータ４０の駆動速度の変化が切断対象物Ｗの切断状態に影響することを抑制することができ、均一な状態で切断対象物Ｗを切断することができる。
【００６０】
また、切断対象物Ｗに対しカッタの刃先の向きが変化する変化時においては、切断対象物Ｗ上のある点においてカッタが回転するだけであるから、切断対象物Ｗに対しカッタが殆ど移動しない。これに対して、カッタが切断対象物Ｗを切断している切断時においては、切断対象物Ｗに対しカッタがＸ方向、Ｙ方向に沿って相対的に移動する。そのため、切断対象物Ｗに対しカッタの刃先の向きが変化する変化時においては、カッタが切断対象物Ｗを切断している切断時に比べ、カッタが切断対象物Ｗに与える負荷が小さくなる。
【００６１】
切断装置１１によれば、このようにカッタが切断対象物Ｗに与える負荷が小さくなる低負荷時において、切断動作用モータ４０の駆動速度を低下させるように構成した。そのため、カッタの刃先の向きの変化が切断対象物Ｗの切断状態に影響することを抑制することができ、均一な状態で切断対象物Ｗを切断することができる。
【００６２】
また、切断装置１１によれば、切断動作用モータ４０の温度が速度調整温度Ｔ３まで上昇した場合に、Ｘ軸モータ２５、Ｙ軸モータ２３、Ｚ軸モータ２７を含む切断動作用モータ４０の駆動速度を低下させる。これにより、Ｘ軸モータ２５によるカッタのＸ方向に沿った移動、Ｙ軸モータ２３による切断対象物ＷのＹ方向に沿った移動、Ｚ軸モータ２７によるカッタのＺ方向に沿った移動にそれぞれ時間を要するようにすることができ、その間に、Ｘ軸モータ２５、Ｙ軸モータ２３、Ｚ軸モータ２７を冷ますことができる。これにより、切断動作用モータ４０の発熱を抑制しつつ切断対象物Ｗの切断を進めることができる。
【００６３】
また、切断装置１１によれば、カッタが切断対象物Ｗに接触する下降位置に位置している状態において切断動作用モータ４０の温度が停止温度Ｔ１まで上昇した場合には、カッタを下降位置に維持したままＺ軸モータ２７の駆動を停止することが可能である。このようにカッタを下降位置に維持した状態でＺ軸モータ２７の駆動を停止することにより、切断対象物Ｗの切断を再開する場合には、切断対象物Ｗに対しカッタが停止した位置から切断を再開することができる。よって、切断動作の再開時における切断位置の位置ずれを抑制することができる。
【００６４】
また、切断装置１１によれば、切断動作用モータ４０の温度が停止温度Ｔ１まで上昇した場合には、カッタを上昇位置に移動させることが可能である。このようにカッタを上昇位置に移動させて切断動作用モータ４０の駆動を停止することにより、切断対象物Ｗにカッタが接触したまま切断が停止した状態となることを回避することができる。そのため、仮に切断動作の停止中に切断対象物Ｗが動いてしまったとしても、切断対象物Ｗの損傷を防止することができる。
【００６５】
（第２実施形態）
第２実施形態は、予測温度に基づく制御フローの内容が第１実施形態と異なっている。即ち、図７に例示するように、制御装置２９は、切断データを構成する複数の線分データのうち一の線分データに基づく線分の切断動作を終了すると（Ｃ１）、カッタが上昇位置に移動されているか否かを確認する（Ｃ２）。そして、制御装置２９は、切断データにおいて、次にカッタを上昇位置に移動させるまでに線分を切断するように規定されている線分データを全て取得する（Ｃ３）。そして、制御装置２９は、取得した線分データに基づく線分の切断中において温度検知部４１が検知する検知温度、つまり、切断動作用モータ４０の温度を予測する（Ｃ４）。なお、切断動作用モータ４０の検知温度の予測方法は、第１実施形態に例示した方法のほか、切断動作用モータ４０の検知温度を予測可能な方法であれば種々の方法を採用することができる。
【００６６】
制御装置２９は、取得した線分データに基づく線分の切断中における切断動作用モータ４０の検知温度を予測すると、その予測温度が停止温度Ｔ１よりも高い温度であるか否かを判定する（Ｃ５）。制御装置２９は、切断動作用モータ４０の予測温度が停止温度Ｔ１よりも高い場合には（Ｃ５：ＹＥＳ）、取得した線分データに基づく線分の切断動作を開始することなく、切断動作用モータ４０の駆動を停止して（Ｃ６）、ステップＣ４に移行する。ステップＣ４〜Ｃ６が繰り返し実行される間に、切断動作用モータ４０の検知温度は徐々に低下していく。そして、制御装置２９は、切断動作用モータ４０の予測温度が停止温度Ｔ１よりも高くない場合には（Ｃ５：ＮＯ）、取得した線分データに基づく線分の切断動作、つまり、次にカッタを上昇位置に移動させるまでの線分の切断動作を開始する（Ｃ７）。制御装置２９は、この制御フローを繰り返し実行することにより、複数の線分データにより構成されている切断データに基づき切断対象物Ｗから模様を切断する。
【００６７】
次に、この予測温度に基づく制御フローによる切断動作を視覚的に説明する。即ち、図８に例示するように、切断データＣＤは、複数の線分データＬ１〜Ｌ６により構成されており、この場合、ポイントＰ１，Ｐ４においてカッタを上昇位置に移動させるように規定している。そして、制御装置２９は、切断データＣＤを構成する一の線分データＬ１に基づく線分の切断動作を終了すると、ポイントＰ１においてカッタを上昇位置に移動させるとともに、次にカッタを上昇位置に移動させるまでに線分を切断するように規定されている線分データを全て取得する。この場合、制御装置２９は、カッタを上昇位置に移動させるポイントＰ１からポイントＰ４までの線分データＬ２，Ｌ３，Ｌ４を取得する。
【００６８】
そして、制御装置２９は、取得した次の線分データＬ２，Ｌ３，Ｌ４に基づく線分の切断動作を開始する前に、カッタをポイントＰ１にて上昇位置に移動させた状態で、線分データＬ２，Ｌ３，Ｌ４に基づく線分の切断中における切断動作用モータ４０の温度を予測する。そして、制御装置２９は、切断動作用モータ４０の予測温度が停止温度Ｔ１よりも高い場合には、切断動作用モータ４０の駆動を停止するとともに、カッタをポイントＰ１にて上昇位置に移動させた状態で待機する。そして、制御装置２９は、切断動作用モータ４０の予測温度が停止温度Ｔ１よりも高くない場合には、取得した線分データＬ２，Ｌ３，Ｌ４に基づく線分の切断動作を開始する。
【００６９】
以上に説明した切断装置１１によれば、カッタを上昇位置に移動させてから次にカッタを上昇位置に移動させるまでの間、つまり、カッタを切断対象物Ｗに接触させて切断を施す１回の切断ステップにおける切断動作用モータ４０の温度上昇を予測する。そして、その１回の切断ステップにおいて切断動作用モータ４０の温度が停止温度Ｔ１まで上昇する可能性が高い場合には、切断動作用モータ４０の駆動を停止するとともに、その１回の切断ステップの開始を遅らせるように構成した。これにより、１回の切断ステップを開始する前に切断動作用モータ４０を十分に冷ますことができ、従って、切断動作用モータ４０の発熱を一層抑制しつつ切断対象物Ｗの切断を進めることができる。
【００７０】
（その他の実施形態）
なお、本開示は上述した複数の実施形態に限られるものではなく、例えば、次のように変形又は拡張することができる。例えば、上述した複数の実施形態を適宜組み合わせて実施してもよい。また、切断装置１１は、保持部材１６を用いることなく切断対象物Ｗが搬送機構により搬送されるものであってもよい。
【００７１】
また、切断動作用モータ４０は、Ｙ軸モータ２３、Ｘ軸モータ２５、Ｚ軸モータ２７の全ての温度を監視するのではなく、少なくとも何れか１つのモータの温度を監視しながら切断動作を制御する構成としてもよい。
【００７２】
また、切断動作用モータ４０の温度予測の方法は、上述した複数の実施形態に例示した方法に限られるものではなく、例えば、切断データに予め予測温度データを含めておき、その予測温度データを参照して予測する方法など、切断動作用モータ４０の温度を予測できる方法であれば種々の方法を採用することができる。
【００７３】
また、切断装置１１は、切断動作用モータ４０の検知温度が再開温度Ｔ２まで低下したら直ちに切断動作を再開するのではなく、例えば、切断動作用モータ４０の検知温度が再開温度Ｔ２まで低下し、且つ、ユーザにより操作スイッチ２０を介して切断動作の再開が入力された場合に切断動作を再開するように構成してもよい。
【００７４】
また、切断装置１１は、さらに通常温度Ｔ４を設定し、切断動作用モータ４０の検知温度が通常温度Ｔ４まで低下したら切断動作用モータ４０の駆動速度を通常の駆動速度に戻すように構成してもよい。通常温度Ｔ４は、第４温度の一例であり、速度調整温度Ｔ３よりも低い温度範囲において適宜変更して設定することができる。よって、上述した複数の実施形態で例示したように、速度調整温度Ｔ３を例えば６０℃で設定した場合には、通常温度Ｔ４は、例えば５５℃で設定することができる。
【００７５】
また、切断対象となる模様は、図３に示すような複数の線分が連続した形状の模様に限定されない。つまり、切断対象となる模様は、複数の線分が連続して接続された模様でなくてもよく、複数の線分が断続的に設けられた模様であってもよい。また、切断データは、単一の模様を切断するデータに限定されない。つまり、切断データは、複数の異なる模様を切断するデータでもあってもよい。
【００７６】
また、切断装置１１は、実測温度に基づく制御フローの処理と予測温度に基づく制御フローの処理の両方を並列的に実行するのではなく、いずれか一方のみを単独で実行する構成としてもよい。また、切断装置１１は、２つの制御フローを交互に実行する構成としてもよい。
【００７７】
また、実測温度に基づく制御フローでは、ステップＡ９〜Ａ１１の判断処理を実行しているが、すべての判断処理を実行する必要はない。つまり、切断装置１１は、ステップＡ９〜Ａ１１のいずれか一つ、もしくは２つの判断処理のみを実行する構成としてもよい。
【００７８】
上述の実施形態では、切断動作用モータ４０の温度が速度調整温度Ｔ３まで上昇した場合であって（Ａ１：ＹＥＳ）、且つ、切断動作用モータ４０の温度が停止温度Ｔ１まで上昇していない場合には（Ａ２：ＮＯ）、切断対象物Ｗの非切断時、カッタの刃先の向きの変化時、カッタの上下方向への移動時のみ、切断動作用モータ４０の駆動速度を第２速度Ｖ２に低下させていた。つまり、上述の実施形態では、切断装置１１は、線分の切断中の切断動作用モータ４０の駆動速度を第１速度Ｖ１に設定している。
【００７９】
しかしながら、切断装置１１は、線分の切断中の切断動作用モータ４０の駆動速度も第２速度に低下させてもよい。この場合、図９に示すように、ステップＡ７において、切断動作用モータ４０の温度が再開温度Ｔ２まで低下した場合（Ａ７：ＹＥＳ）、制御装置２９は、切断駆動モータ４０の駆動速度を第２速度Ｖ２に設定する（Ａ１３）。そして、制御装置２９は、切断動作用モータ４０の駆動を再開し（Ａ１４）、ステップＡ１６に移行する。また、切断動作用モータ４０の温度が調整温度Ｔ３以上であって停止温度Ｔ１よりも低い温度である場合（Ａ２：ＮＯ）、制御装置２９は、切断動作用モータ４０の駆動速度を第２速度Ｖ２に設定し（Ａ１５）、ステップＡ１６に移行する。
【００８０】
制御装置２９は、ステップＡ１６に移行すると、切断動作用モータ４０の温度が速度調整温度Ｔ３よりも低下したか否かを監視する。そして、切断動作用モータ４０の温度が速度調整温度Ｔ３よりも低下した場合（Ａ１６：ＹＥＳ）、制御装置２９は、切断動作用モータ４０の駆動速度を第１速度Ｖ１に設定し（Ａ１７）、ステップＡ１に移行する。一方、切断動作用モータ４０の温度が速度調整温度Ｔ３よりも低下していない場合（Ａ１６：ＮＯ）、制御装置２９は、ステップＡ２に移行する。
【００８１】
この制御フローによれば、切断動作用モータ４０の温度が、速度調整温度Ｔ３まで上昇した場合であって（Ａ１：ＹＥＳ）、且つ、停止温度Ｔ１まで上昇していない場合（Ａ２：ＮＯ）、線分の切断中も切断動作用モータ４０の駆動速度を第２速度Ｖ２に設定することができ、切断動作用モータ４０の発熱を抑制しつつ切断対象物Ｗの切断を進めることができる。なお、この実測温度に基づく制御フローにおいても、切断動作用モータ４０の温度が速度調整温度Ｔ３まで上昇しなかった場合（Ａ１：ＮＯ）、または、速度調整温度Ｔ３まで上昇したとしても停止温度Ｔ１まで上昇しなかった場合（Ａ２：ＮＯ）、制御装置２９は、取得した切断データに基づく切断動作が全て終了すると、つまり、取得した切断データが特定する全ての線分の切断を終了すると、この実測温度に基づく制御フローを終了するように構成されている。
【符号の説明】
【００８２】
１１：切断装置、２３：Ｙ軸モータ（第２モータ）、２５：Ｘ軸モータ（第１モータ）、２７：Ｚ軸モータ（第３モータ）、２９：制御装置（制御部）、４０：切断動作用モータ、４１：温度検知部
【図１】
2020015131.tif 000003
【図２】
2020015131.tif 000004
【図３】
2020015131.tif 000005
【図４】
2020015131.tif 000006
【図５】
2020015131.tif 000007
【図６】
2020015131.tif 000008
【図７】
2020015131.tif 000009
【図８】
2020015131.tif 000010
【図９】
2020015131.tif 000011